【事件の表示】
　特願２０１３−１８６６３７「手術用回収装置及びその方法」拒絶査定不服審判事件〔平成２６年　４月１０日出願公開、特開２０１４−　６１３４２〕について、次のとおり審決する。
【結　論】
　本件審判の請求は、成り立たない。
【理　由】
第１　手続の経緯
　本件出願は、平成１９年５月２４日（パリ条約による優先権主張　平成１８年１０月１４日　（ＵＳ）アメリカ合衆国，平成１８年１２月６日　（ＵＳ）アメリカ合衆国）を国際出願日とする特願２００９−５３２３３９号の一部を平成２５年９月９日に新たな特許出願としたものであって、平成２８年６月８日付けで拒絶をすべき旨の査定がなされた。そして、平成２８年９月９日に拒絶査定不服審判が請求されるとともに特許請求の範囲について手続補正（以下、「本件補正」という。）がなされたものである。以下に、出願から本件補正に至る経緯の詳細を示す。
平成２５年９月　９日　特許出願
平成２６年８月２９日　拒絶理由通知　
平成２７年３月　２日　意見書及び手続補正書の提出
　　　同年８月　３日　拒絶理由通知
平成２８年１月　６日　意見書及び手続補正書の提出
　　　同年６月　８日　拒絶をすべき旨の査定
　　　同年９月　９日　審判請求、手続補正書の提出（本件補正）　
第２　平成２８年９月９日付けの手続補正についての補正却下の決定
［補正却下の決定の結論］
　平成２８年９月９日付けの手続補正を却下する。
［理由］
１　本件補正
　本件補正は、平成２８年１月６日付けで補正された特許請求の範囲をさらに補正するものであって、特許請求の範囲の請求項１に関する以下の補正を含むものである。（なお、下線部は補正箇所を明確にする目的で請求人が付した。）
（１）補正前の請求項１
　「解剖用の導管又は経路から突出部を除去するために、任意の光学画像装置と組み合わせて用いられる手術用の焼灼及び回収装置であって、
　前記装置は、
　各々が第１端部及び第２端部を有する２以上の成形部材を備え、
　前記成形部材の各々が１つの形状を有し、
　前記形状が円形、卵形、三日月型形、多角形、又は直線的な部分、角度のある部分、曲線的な部分の一種又は二種以上の組み合わせからなる群から選択され、
　２以上の前記成形部材が捕獲バスケットを形成するよう配置され、
　少なくとも２つの前記成形部材は、前記形状が互いに異なっており、
　前記装置はさらに、
　各々が第１端部及び第２端部を有する１以上の追加的な成形部材で形成されたループを備え、
　前記追加的な成形部材の各々が１つの形状を有し、
　前記追加的な成形部材の前記形状が、円形、卵形、三日月型形、多角形、又は直線的な部分、角度のある部分、曲線的な部分の一種又は二種以上の組み合わせからなる群から選択され、
　前記ループが導電性を有することにより焼灼スネアを形成し、
　前記装置はさらに、
　前記焼灼スネアに電力を伝達するための手段を備え、
　前記ループを形成する前記追加的な成形部材の前記第１端部は前記捕獲バスケットを形成する前記成形部材の前記第２端部と接続され、前記捕獲バスケットを形成する前記成形部材の前記第１端部が制御ワイヤと接続されることにより、前記捕獲バスケットの先端に前記ループが接続され、
　前記制御ワイヤによって前記焼灼スネア及び前記捕獲バスケットを移動可能であり、前記焼灼スネアによって材料を焼灼し、前記捕獲バスケットによって除去された前記材料を捕獲することを特徴とする手術用の焼灼及び回収装置。」
（２）補正後の請求項１
　「解剖用の導管又は経路から突出部を除去するために、任意の光学画像装置と組み合わせて用いられる手術用の焼灼及び回収装置であって、
　前記装置は、
　各々が第１端部及び第２端部を有する２以上の成形部材を備え、
　前記成形部材の各々が１つの形状を有し、
　前記形状が円形、卵形、三日月型形、多角形、又は直線的な部分、角度のある部分、曲線的な部分の一種又は二種以上の組み合わせからなる群から選択され、
　２以上の前記成形部材が捕獲バスケットを形成するよう配置され、
　少なくとも２つの前記成形部材は、前記形状が互いに異なっており、
　前記装置はさらに、
　各々が第１端部及び第２端部を有する１以上の追加的な成形部材で形成されたループを備え、
　前記追加的な成形部材の各々が１つの形状を有し、
　前記追加的な成形部材の前記形状が
、
左右非対称の形状であり、
　前記ループが導電性を有することにより焼灼スネアを形成し、
　前記装置はさらに、
　前記焼灼スネアに電力を伝達するための手段を備え、
　前記ループを形成する前記追加的な成形部材の前記第１端部は前記捕獲バスケットを形成する前記成形部材の前記第２端部と接続され、前記捕獲バスケットを形成する前記成形部材の前記第１端部が制御ワイヤと接続されることにより、前記捕獲バスケットの先端に前記ループが接続され、
　前記制御ワイヤによって前記焼灼スネア及び前記捕獲バスケットを移動可能であり、前記焼灼スネアによって材料を焼灼し、前記捕獲バスケットによって除去された前記材料を捕獲することを特徴とする手術用の焼灼及び回収装置。」
２　本件補正の適否
　本件補正は、補正前の請求項１に係る発明を特定するために必要な事項である、追加的な成形部材の形状に関する選択的な構成から「円形、卵形」を削除するとともに、その形状が「左右非対称の形状であり」と限定するものであるから、特許請求の範囲の減縮（特許法第１７条の２第５項第２号）を目的とするものに該当する。そして、本件補正は、同条第３項及び第４項の規定に違反するものではない。
　そこで、本件補正後の請求項１に係る発明（以下、「補正発明」という。）が、特許出願の際独立して特許を受けることができるものであるか、すなわち同条第６項において準用する同法第１２６条第７項に規定される特許出願の際独立して特許を受けることができるものでなければならないとの要件に適合するものであるかについて検討する。
（１）補正発明
　補正発明は、特許請求の範囲、明細書及び図面の記載からみて、上記１（２）に示す、補正後の特許請求の範囲の請求項１に記載された事項により特定されるとおりのものであると認める。
（２）引用文献の記載事項
　原査定の拒絶の理由に引用された、本件優先日前に頒布された特開２００２−１７７４４号公報（以下、「引用文献１」という。）には、「内視鏡用高周波スネア」に関して、図面とともに以下の事項が記載されている。
ア　「【０００１】
【発明の属する技術分野】この発明は、内視鏡の処置具挿通チャンネルに通されてポリープを切除するために用いられる内視鏡用高周波スネアに関する。」
イ　「【０００７】そこで本発明は、スネアループにより生体組織を切除する際には高周波電流で周囲の粘膜を火傷させるおそれがなく、スネアループで切除した生体組織はスネアループを操作する操作部材をそのまま用いて容易に捕捉、回収することができ、しかも実用性の高い内視鏡用高周波スネアを提供することを目的とする。
【０００８】
【課題を解決するための手段】上記の目的を達成するため、本発明の内視鏡用高周波スネアは、軸線方向に進退自在に可撓性シース内に挿通配置された操作ワイヤの先端に高周波電流を通電可能なスネアループが連結され、操作ワイヤを軸線方向に進退操作することによりスネアループが可撓性シースの先端内に出入りして、スネアループが可撓性シース外では自己の弾性によって膨らみ、可撓性シース内に引き込まれることによって窄まるようにした内視鏡用高周波スネアにおいて、スネアループにより切除された生体組織を捕捉するための捕捉部材をスネアループの基端部分に配置したものである。」
ウ　「【００１２】
【発明の実施の形態】図面を参照して本発明の実施例を説明する。図１は、本発明の第１の実施例の内視鏡用高周波スネアを示しており、１は、例えば電気絶縁性の四フッ化エチレン樹脂製チューブ等からなる可撓性シースであり、図示されていない内視鏡の処置具挿通チャンネルに挿脱される。
【００１３】可撓性シース１内には、可撓性のある例えばステンレス鋼線のような導電性金属製の操作ワイヤ２が全長にわたって軸線方向に進退自在に挿通されており、操作部１０側から任意に進退操作される。
【００１４】操作部１０には、操作ワイヤ２の基端が連結されたスライダー１２が操作部本体１１にスライド自在に取り付けられている。スライダー１２には、図示されていない高周波電源コードを接続するための接続端子１３が、操作ワイヤ２に電気的に接続されて配置されている。
【００１５】操作ワイヤ２の先端部分には、ポリープ等のような生体組織を緊縛して高周波電流により切除するためのスネアループ３と、切断されたポリープ等を捕捉、回収するためのバスケット４（捕捉部材）とが、スネアループ３を先側にして直列に配置されている。
【００１６】スネアループ３とバスケット４は、共にステンレス鋼線の撚り線又は単線のような導電性金属製の弾性ワイヤをループ状に曲げて形成されている。スネアループ３は一つのループであり、バスケット４は３〜５本程度の弾性ワイヤによりかご状に形成されている。
【００１７】そして、スネアループ３とバスケット４は、各々、可撓性シース１の先端内に出入りして、可撓性シース１外では自己の弾性によって膨らみ、操作ワイヤ２が操作部１０側に牽引されると可撓性シース１内に引き込まれて窄まるようになっている。
【００１８】このような構成により、接続端子１３に接続した高周波電源コードに高周波電流を流せば、操作ワイヤ２からバスケット４を経てスネアループ３まで高周波電流が通電される。
【００１９】なお、スネアループ３及びバスケット４の形状は、卵形又は多角形状等どのような形状であっても差し支えない。また、操作ワイヤ２とスネアループ３との間に複数のバスケット４を直列に連結して配置してもよい。
【００２０】このように構成された実施例の内視鏡用高周波スネアによりポリープを切除、回収するには、まず図２に示されるように、スネアループ３でポリープ１００を囲んだ状態にする。
【００２１】そして、図３に示されるように、操作ワイヤ２を牽引するとポリープ１００がスネアループ３により緊縛され、高周波電流を通電することにより、図４に示されるようにポリープ１００が切除される。この一連の動作中、バスケット４は可撓性シース１内に収容されて窄まった状態になっているので、全くポリープ緊縛動作の妨げにならない。
【００２２】ポリープ１００が切除されたら、可撓性シース１を押し込み操作することにより、図５に示されるようにバスケット４が可撓性シース１の先端から前方に突き出され、その中にポリープ１００の切除片を捕捉して回収することができる。」
ａ　上記摘記事項ア「この発明は、内視鏡の処置具挿通チャンネルに通されてポリープを切除するために用いられる内視鏡用高周波スネアに関する。」との記載、同イの「【０００８】・・・本発明の内視鏡用高周波スネアは・・・操作ワイヤの先端に高周波電流を通電可能なスネアループが連結され・・・た内視鏡用高周波スネアにおいて、スネアループにより切除された生体組織を捕捉するための捕捉部材をスネアループの基端部分に配置したものである。」との記載並びに同ウの「【００１５】操作ワイヤ２の先端部分には、ポリープ等のような生体組織を緊縛して高周波電流により切除するためのスネアループ３と、切断されたポリープ等を捕捉、回収するためのバスケット４（捕捉部材）とが、スネアループ３を先側にして直列に配置されている。」、「【００１７】そして、スネアループ３とバスケット４は・・・操作ワイヤ２が操作部１０側に牽引されると可撓性シース１内に引き込まれて窄まるようになっている。」及び「【００２０】このように構成された実施例の内視鏡用高周波スネアによりポリープを切除、回収するには、まず図２に示されるように、スネアループ３でポリープ１００を囲んだ状態にする。
【００２１】そして、図３に示されるように、操作ワイヤ２を牽引するとポリープ１００がスネアループ３により緊縛され、高周波電流を通電することにより、図４に示されるようにポリープ１００が切除される。・・・【００２２】ポリープ１００が切除されたら、可撓性シース１を押し込み操作することにより、図５に示されるようにバスケット４が可撓性シース１の先端から前方に突き出され、その中にポリープ１００の切除片を捕捉して回収することができる。」との記載を整理すると、引用文献１には、「内視鏡の処置具挿通チャンネルに通されてポリープを切除するために用いられる内視鏡用高周波スネアであって、前記内視鏡用高周波スネアは、高周波電源コードを接続するための接続端子１３、操作ワイヤ２、バスケット４及びスネアループ３を備え、前記操作ワイヤ２の先端部分には、前記スネアループ３と、前記バスケット４とが、スネアループ３を先側にして直列に配置され、前記操作ワイヤ２が牽引されると、前記スネアループ３及び前記バスケット４が引き込まれて窄まり、前記スネアループ３によってポリープを切除し、前記バスケット４によって切除された前記ポリープを捕捉、回収する内視鏡用高周波スネア。」が記載されていることが理解できる。
ｂ　上記摘記事項ウの「【００１６】スネアループ３とバスケット４は、共にステンレス鋼線の撚り線又は単線のような導電性金属製の弾性ワイヤをループ状に曲げて形成されている。スネアループ３は一つのループであり、バスケット４は３〜５本程度の弾性ワイヤによりかご状に形成されている。」との記載からみて、３〜５本程度のバスケット４をなす弾性ワイヤはループ状に曲げて形成されたものであるとともに、かご状のバスケットを形成するように配置されたものであるといえる。そして、これらの記載と図１等を併せみれば、それらの弾性ワイヤの各々が第１端部及び第２端部を有するものといえる。してみると、引用文献１に記載された内視鏡用高周波スネアは、「各々が第１端部及び第２端部を有する３〜５本程度のバスケット４をなす弾性ワイヤを備え、該バスケット４をなす弾性ワイヤはループ状に曲げて形成されたものであり、３〜５本程度の該バスケット４をなす弾性ワイヤがかご状のバスケット４を形成するように配置され」たものといえる。
ｃ　上記摘記事項ウの「【００１６】スネアループ３とバスケット４は、共にステンレス鋼線の撚り線又は単線のような導電性金属製の弾性ワイヤをループ状に曲げて形成されている。スネアループ３は一つのループであり、バスケット４は３〜５本程度の弾性ワイヤによりかご状に形成されている。」との記載からみて、スネアループ３をなす導電性金属製の弾性ワイヤはループ状に曲げて形成された１以上のものであるとともに、導電性のスネアループ３を形成するものであるといえる。そして、上記ｂで指摘したバスケット４をなす弾性ワイヤと同様に、スネアループ３をなす弾性ワイヤも各々が第１端部及び第２端部を有するものであるといえる。また、上記摘記事項ウの「【００１５】・・・ポリープ等のような生体組織を緊縛して高周波電流により切除するためのスネアループ３・・・」との記載をも併せ読めば、当該スネアループ３は導電性を有することにより生体組織を緊縛して高周波電流により切除するためのものということができる。してみると、引用文献１に記載された内視鏡用高周波スネアは、「各々が第１端部及び第２端部を有するスネアループ３をなす弾性ワイヤで形成されたスネアループ３を備え、該スネアループ３をなす弾性ワイヤはループ状に曲げて形成されたものであり、前記スネアループ３は導電性を有し、ポリープを緊縛して高周波電流により切除するためのスネアループ３を形成」したものといえる。
ｄ　上記摘記事項ウの「【００１４】・・・スライダー１２には、図示されていない高周波電源コードを接続するための接続端子１３が、操作ワイヤ２に電気的に接続されて配置されている。・・・【００１８】・・・接続端子１３に接続した高周波電源コードに高周波電流を流せば、操作ワイヤ２からバスケット４を経てスネアループ３まで高周波電流が通電される。」との記載から、引用文献１に記載された内視鏡用高周波スネアは、「接続端子１３が操作ワイヤ２に電気的に接続されて配置され、前記接続端子１３に接続した高周波電源コードに高周波電流を流すことにより、前記操作ワイヤ２からバスケット４を経てスネアループ３まで高周波電流が通電される」ものといえる。
（３）引用文献に記載された発明
　引用文献１の摘記事項ア〜エ及び認定事項ａ〜ｄを、図面を参照しつつ技術常識を踏まえて補正発明の記載ぶりに合わせて整理すると、引用文献１には、以下の発明（以下、「引用発明」という。）が記載されていると認められる。
「　内視鏡の処置具挿通チャンネルに通されてポリープを切除するために用いられる内視鏡用高周波スネアであって、
　前記内視鏡用高周波スネアは、
　各々が第１端部及び第２端部を有する３〜５本程度のバスケット４をなす弾性ワイヤを備え、
　該バスケット４をなす弾性ワイヤはループ状に曲げて形成されたものであり、
　３〜５本程度の当該バスケット４をなす弾性ワイヤがかご状のバスケット４を形成するように配置され、
　前記内視鏡用高周波スネアはさらに、
　各々が第１端部及び第２端部を有する１以上のスネアループ３をなす弾性ワイヤで形成されたスネアループ３を備え、
　該スネアループ３をなす弾性ワイヤはループ状に曲げて形成されたものであり、
　前記スネアループ３は導電性を有することによりポリープを緊縛して高周波電流により切除するためのスネアループ３を形成し、
　前記内視鏡用高周波スネアはさらに、
　高周波電源コードを接続するための接続端子１３を備え、該接続端子１３は操作ワイヤ２に電気的に接続されて配置され、前記接続端子１３に接続した高周波電源コードに高周波電流を流すことにより、前記操作ワイヤ２から前記バスケット４を経て前記スネアループ３まで高周波電流が通電され、
  前記操作ワイヤ２の先端部分には、前記スネアループ３と、前記バスケット４とが、スネアループ３を先側にして直列に配置され、
　前記操作ワイヤ２が牽引されると、前記スネアループ３及び前記バスケット４が引き込まれて窄まり、前記スネアループ３によってポリープを切除し、前記バスケット４によって切除された前記ポリープを捕捉、回収する内視鏡用高周波スネア。」
（４）対比及び判断
ア　対比
　補正発明（以下、「前者」という。）と引用発明（以下、「後者」という。）とを、技術常識をふまえ、その文言の意味、機能または構成等を考慮して対比すると、後者の「内視鏡の処置具挿通チャンネルに通されてポリープを切除するために用いられる内視鏡用高周波スネア」は、その文言の意味、機能または構成等からみて、前者の「解剖用の導管又は経路から突出部を除去するために、任意の光学画像装置と組み合わせて用いられる手術用の焼灼及び回収装置」に相当する。以下同様に、後者の「かご状のバスケット４」は前者の「捕獲バスケット」に、後者の「バスケット４をなす弾性ワイヤ」は前者の「成形部材」に、後者の「３〜５本程度の」は前者の「２以上の」に、後者の「スネアループ３」は前者の「ループ」に、後者の「スネアループ３をなす弾性ワイヤ」は前者の「追加的な成形部材」に、後者の「ポリープを緊縛して高周波電流により切除するためのスネアループ３」は前者の「焼灼スネア」に、後者の「高周波電源コードを接続するための接続端子１３」は前者の「焼灼スネアに電力を伝達するための手段」に、後者の「操作ワイヤ２」は前者の「制御ワイヤ」に、後者の「前記操作ワイヤ２が牽引されると、前記スネアループ３及び前記バスケット４が引き込まれて窄まり、前記スネアループ３によってポリープを切除し、前記バスケット４によって切除された前記ポリープを捕捉、回収する」は前者の「前記制御ワイヤによって前記焼灼スネア及び前記捕獲バスケットを移動可能であり、前記焼灼スネアによって材料を焼灼し、前記捕獲バスケットによって除去された前記材料を捕獲する」に、それぞれ相当する。
　また、後者の「バスケット４をなす弾性ワイヤ」は、「ループ状に曲げて形成されたもの」であるところ、該「ループ状」とは、１つの形状であって、曲線的な部分を有する形状であることは技術常識であるから、前者の成形部材に関し「各々が１つの形状を有し、前記形状が円形、卵形、三日月型形、多角形、又は直線的な部分、角度のある部分、曲線的な部分の一種又は二種以上の組み合わせからなる群から選択され」たものということができる。同様に、前者の「スネアループ３をなす弾性ワイヤ」も、前者の追加的な成形部材に関し「各々が１つの形状を有し、前記形状が三日月型形、多角形、又は直線的な部分、角度のある部分、曲線的な部分の一種又は二種以上の組み合わせからなる群から選択され」たものということができる。
　さらに、後者は「前記操作ワイヤ２の先端部分には、前記スネアループ３と、前記バスケット４とが、スネアループ３を先側にして直列に配置され」る構成であるから、バスケット４をなす弾性ワイヤ及びスネアループ３をなす弾性ワイヤの構成をふまえれば、前者の「前記ループを形成する前記追加的な成形部材の前記第１端部は前記捕獲バスケットを形成する前記成形部材の前記第２端部と接続され、前記捕獲バスケットを形成する前記成形部材の前記第１端部が制御ワイヤと接続されることにより、前記捕獲バスケットの先端に前記ループが接続され」という構成を備えているということができる。
　以上の検討をふまえると、補正発明と引用発明とは、以下の点において一致する。
（一致点）
「解剖用の導管又は経路から突出部を除去するために、任意の光学画像装置と組み合わせて用いられる手術用の焼灼及び回収装置であって、
　前記装置は、
　各々が第１端部及び第２端部を有する２以上の成形部材を備え、
　前記成形部材の各々が１つの形状を有し、
　前記形状が円形、卵形、三日月型形、多角形、又は直線的な部分、角度のある部分、曲線的な部分の一種又は二種以上の組み合わせからなる群から選択され、
　２以上の前記成形部材が捕獲バスケットを形成するよう配置され、
　前記装置はさらに、
　各々が第１端部及び第２端部を有する１以上の追加的な成形部材で形成されたループを備え、
　前記追加的な成形部材の各々が１つの形状を有し、
　前記追加的な成形部材の前記形状が、三日月型形、多角形、又は直線的な部分、角度のある部分、曲線的な部分の一種又は二種以上の組み合わせからなる群から選択され、
　前記ループが導電性を有することにより焼灼スネアを形成し、
　前記装置はさらに、
　前記焼灼スネアに電力を伝達するための手段を備え、
　前記ループを形成する前記追加的な成形部材の前記第１端部は前記捕獲バスケットを形成する前記成形部材の前記第２端部と接続され、前記捕獲バスケットを形成する前記成形部材の前記第１端部が制御ワイヤと接続されることにより、前記捕獲バスケットの先端に前記ループが接続され、
　前記制御ワイヤによって前記焼灼スネア及び前記捕獲バスケットを移動可能であり、前記焼灼スネアによって材料を焼灼し、前記捕獲バスケットによって除去された前記材料を捕獲することを特徴とする手術用の焼灼及び回収装置。」
　そして、補正発明と引用発明とは、以下の点で相違する。
（相違点１）
　捕獲バスケットを形成する成形部材の形状について、補正発明は「互いに異なって」いるのに対し、引用発明は互いに異なっているのか否か明らかでない点。
（相違点２）
　焼灼スネアであるループを形成する追加的な成形部材の形状について、補正発明は「左右非対称の形状であ」るのに対し、引用発明は左右非対称の形状であるか明らかでない点。
イ　判断
　上記相違点１及び２について検討する。
（ア）相違点１について
　体内組織を回収するための捕獲バスケットを形成する部材の形状を互いに異なっているものとすることは、本願出願前に周知の技術的事項（必要があれば、米国特許出願公開２００４／０１３８６９２号明細書（特に、[0023]、Ｆｉｇ．１，２のstruts12とstruts13,14の形状が異なっている点。）等を参照。以下、「周知技術１」という。）である。
　よって、引用発明においてポリープを切除された前記ポリープを捕捉、回収する捕獲バスケットを形成する成形部材に上記周知技術１を適用することにより、相違点１に係る補正発明の構成とすることは、当業者であれば適宜なし得たことといえる。
（イ）相違点２について
　体内組織を焼灼し、切除するための焼灼スネアを形成する部材の形状を左右非対称の形状とすることは、本願出願前に周知の技術的事項（必要があれば、特開平１１−１７８８３５号公報（特に、【００１０】、【図４】に示された半月形の態様。）、特開２０００−８３９６４号（特に、【００１８】〜【００２０】、【図１】〜【図４】。）、特開２００５−１６８６９９号公報（特に、【００２０】〜【００２４】、【図１】。）等を参照。以下、「周知技術２」という。）である。
　よって、引用発明においてポリープを切除するための焼灼スネアであるループを形成する追加的な成形部材に上記周知技術２を適用することにより、相違点２に係る補正発明の構成とすることは、当業者であれば適宜なし得たことといえる。
（ウ）効果について
　本件明細書に記載された補正発明の効果をみても、引用文献１、周知技術１及び２の奏する効果から当業者であれば普通に認識できた程度のものであって、格別顕著なものということはできない。
　よって、補正発明は引用発明及び周知技術に基づいて、当業者が容易に発明することができたものであるから、特許法第２９条第２項の規定により、特許出願の際独立して特許を受けることができるものでない。
（５）本件補正についての結び
　以上のとおりであるから、本件補正は、特許法１７条の２第６項において準用する同法第１２６条第７項の規定に違反している。よって、同法第１５９条第１項において読み替えて準用する同法第５３条第１項の規定により、本件補正は却下すべきものである。
　よって、上記［補正却下の決定の結論］のとおり決定する。
第３　本願発明
　本件補正が上記のとおり却下されたので、本願の請求項１〜１１に係る発明は、平成２８年１月６日付け手続補正書によって補正された特許請求の範囲の請求項１〜１１に記載された事項により特定されるとおりのものであって、その請求項１に係る発明（以下、「本願発明」という。）は、上記第２　１（１）に示すとおりのものであると認める。
第４　原査定の拒絶の理由
  原査定の拒絶の理由は、この出願の請求項１〜１１に係る発明は、その優先日前に日本国内又は外国において、頒布された上記引用文献１に記載された発明及び周知技術に基いて、その優先日前にその発明の属する技術の分野における通常の知識を有する者が容易に発明をすることができたものであるから、特許法第２９条第２項の規定により特許を受けることができない、というものである。
第５　引用文献の記載事項及び引用文献に記載された発明
　原査定の拒絶の理由に引用された引用文献１の記載事項は、上記「第２　２（２）」に示したとおりである。そして、引用発明は上記「第２　２（３）」で認定したとおりのものである。
第６　対比及び判断
　上記「第２　２」で指摘したとおり、補正発明は本願発明を減縮したものであるから、補正発明は本願発明の発明特定事項をすべて備えている。
　そうすると、補正発明が上記「第２　２（４）」に示したように、引用発明及び周知技術に基づいて、当業者が容易に発明することができたものであるから、本願発明も同様に、引用発明及び周知技術から容易に発明することができたものである。
第７　結び
　以上のとおり、本願発明は、特許法第２９条第２項の規定により特許を受けることができないから、その余の請求項について言及するまでもなく、本願は拒絶されるべきものである。
　よって、結論のとおり審決する。